(57)【要約】【課題】トンネル内で発生する汚染空気から粉塵を効果的かつ効率的に回収することができ、トンネル内の良好な環境の維持とトンネルの施工効率の向上を図ることのできる除塵装置および除塵方法を提供する。【解決手段】移動可能で、汚染空気の吸込み口１１ａを備えた集塵室１と、集塵室１内に吸引された汚染空気から粉塵Ｄを吸着除去するフィルター材４１，…と、それぞれのフィルター材４１，…に対応する位置に設けられ、下方に落下／集積した粉塵Ｄをエアにて移動させる複数の管路５１，…と、移動された粉塵を回収するホッパー部６１とから除塵装置１００が構成されており、粉塵のエア移動は、回収手段から最も離れた位置にある管路５１から回収手段に近接する管路５６に向って、順次、間欠的に実行制御されている。【選択図】図４
2008063739.tif 000002
【特許請求の範囲】
【請求項１】
トンネル工事において発生する粉塵を除塵するための装置であって、
移動可能で、かつ、汚染空気の吸込み口を備えた集塵室と、
前記集塵室を介して粉塵を吸引する吸引手段と、
前記集塵室内に吸引された粉塵を吸着させる複数の吸着手段と、
それぞれの吸着手段に対応する位置に設けられ、吸着手段から落下して集積した粉塵を移動させる複数の移動手段と、
前記移動手段によって移動された粉塵を回収する回収手段と、を少なくとも具備することを特徴とする除塵装置。
【請求項２】
前記吸引手段は、集塵室内の上方でトンネルの長手方向に延設する第１の管路と、バキューム機構と、から構成されており、
前記第１の管路には、複数の吸引口が開設されており、各吸引口に吸引エアが流れ込む吸引口の上流側には、フィルター材をはじめとする前記吸着手段が配設されていることを特徴とする請求項１に記載の除塵装置。
【請求項３】
前記移動手段は、エア吐出用の複数の吐出孔を備えた第２の管路から形成されており、
複数の前記第２の管路が前記吸着手段の下方に配設されており、各吐出孔からのエア吐出方向が前記回収手段側に配向されていることを特徴とする請求項１または２に記載の除塵装置。
【請求項４】
前記吸引手段は、さらにブロワ機構をも具備しており、かつ、バキューム機構とブロワ機構が選択的に切り替え可能に構成されており、
粉塵を吸引する際にはバキューム機構が選択され、吸着手段から粉塵を吹き飛ばす際にはブロワ機構が選択されるように制御されていることを特徴とする請求項２または３に記載の除塵装置。
【請求項５】
前記回収手段から最も離れた位置にある移動手段から該回収手段に最も近接した移動手段に向かって、間欠的なエア吐出が実行制御されていることを特徴とする請求項１〜４のいずれかに記載の除塵装置。
【請求項６】
吸引手段と、吸引された粉塵を吸着させる複数の吸着手段と、それぞれの吸着手段に対応する位置に設けられ、吸着手段から落下して集積した粉塵を移動させる複数の移動手段と、前記移動手段によって移動された粉塵を回収する回収手段と、を少なくとも具備する除塵装置を使用して、トンネル工事にて発生する粉塵を除塵する除塵方法であって、
粉塵を前記吸引手段にて吸引し、複数の前記吸着手段にて粉塵を吸着させる吸引ステップと、
各吸着手段に付着した粉塵を吸着手段下方に落下させて集積させる集積ステップと、
前記回収手段から最も離れた位置にある移動手段から該回収手段に最も近接した移動手段に向かって間欠的にエア吐出をおこなうことにより、粉塵を回収手段側へ移動させ、回収手段にて回収する移動回収ステップと、
を具備することを特徴とする除塵方法。
【発明の詳細な説明】
【技術分野】
【０００１】
本発明は、トンネル工事において発生する粉塵を除塵するための除塵装置および除塵方法に関する。
【背景技術】
【０００２】
トンネル工事は、その地盤性状やトンネルの規模などに応じてその掘削方法が多岐に亘っており、例えば削岩機を使用した造成方法や発破による造成方法などが挙げられる。いずれの方法においても、トンネル坑内には削岩時に大量の粉塵が発生するほか、坑内の機器から排出される排ガスなども発生するため、坑内環境の維持のためには、粉塵等の除塵と新鮮な外気の供給が常時おこなわれる必要がある。
【０００３】
上記する除塵方法として、集塵機を搭載した台車を坑内に配設し、該集塵機を介して発生粉塵を吸引するとともに集塵機内のフィルター材に通過させ、該フィルターにて粉塵を吸着させる方法が適用されている。この除塵方法では、フィルター材の下方に落下した粉塵を作業員が坑口方向へ掻き出す必要があり、その際の作業手間の問題や当該作業が悪環境下でおこなわれるといった問題（作業安全性の問題）、さらには、作業エリアに風管が配設されているために作業効率が極めて悪いといった作業効率の問題など、様々な問題があって改善の余地が多分に存在している。かかる問題を一挙に解決するために、フィルター材下方に落下した粉塵を効率的に除塵する技術の開発が切望されていた。
【０００４】
ところで、トンネル工事における除塵方法や除塵装置に関する従来の公開技術として、例えば特許文献１に開示の除塵装置を挙げることができる。この除塵装置は、トンネル内における粉塵の発生箇所付近に、フィルター装置とファンを具備する汚染空気浄化用の除塵手段を設けたものであり、該ファンによって浄化空気をトンネル内に提供するものである。この装置では、フィルター装置によって汚染空気の全量を処理し、フィルター装置を構成する濾材のダスト保持量を大きくすることでメンテナンス間隔を長くできるメリットがある。
【特許文献１】特開平８−２１８７９９号公報
【発明の開示】
【発明が解決しようとする課題】
【０００５】
特許文献１に開示の除塵装置によれば、トンネル内の汚染空気を効果的に処理しながら、フィルター装置を構成する濾材のメンテナンス間隔を長くできる効果がある。しかし、トンネル内における粉塵の発生箇所付近に除塵手段を設ける構成では、トンネルの延長が長くなった場合（一般的に、除塵を要するトンネルは数ｋｍにも及ぶ延長を有している）に、汚染空気の除去効果が十分に発揮できるかは極めて不明確である。長い延長を有するトンネル内の除塵をおこなうためには、上記する台車にて移動可能な除塵装置であって、装置自体の延長が比較的長いものを適用することが望ましいと考えられる。かかる実施の形態では、上記する課題、すなわち、装置を構成する多数のフィルター材の下方に落下した粉塵を作業員が坑口方向へ掻き出す必要があり、その際の問題を解決しなければならない。特許文献１に開示の除塵装置ではこの問題を解決することはできない。
【０００６】
本発明は、上記する問題に鑑みてなされたものであり、延長の長いトンネル内にて発生する粉塵を効果的に除塵することができ、かつ、除塵に際して下方に落下／集積した粉塵を安全かつ効果的に回収することのできる除塵装置および除塵方法を提供することを目的とする。
【課題を解決するための手段】
【０００７】
前記目的を達成すべく、本発明による除塵装置は、トンネル工事において発生する粉塵を除塵するための装置であって、移動可能で、かつ、汚染空気の吸込み口を備えた集塵室と、前記集塵室を介して粉塵を吸引する吸引手段と、前記集塵室内に吸引された粉塵を吸着させる複数の吸着手段と、それぞれの吸着手段に対応する位置に設けられ、吸着手段から落下して集積した粉塵を移動させる複数の移動手段と、前記移動手段によって移動された粉塵を回収する回収手段と、を少なくとも具備することを特徴とする。
【０００８】
集塵室は、例えば、粉塵を含む汚染空気を吸引する集塵用の筐体と、この筐体を搭載した架構台車などから構成することができる。架構台車は、トンネル底を直接移動することもできるし、トンネル底に順次設置されるレール上を移動することもできる。この集塵室は、比較的長い延長を有していることが望ましく、切羽付近で発生した粉塵を含む汚染空気を効率的に坑口側へ排気できるのがよい。
【０００９】
吸引手段は、例えば、集塵室（集塵用筐体）内においてトンネルの長手方向に延びる管路（第１の管路）とバキューム機などから構成することができ、該管路の一端は、集塵室の切羽側端面に開設された粉塵吸込み口（汚染空気の吸込み口）に臨んだ構成とすることができる。
【００１０】
管路にて汚染空気を吸引するに際し、汚染空気内の粉塵を除去する必要がある。そこで、フィルター材をはじめとする適宜の吸着手段を集塵室内に設けておき、かかる吸着手段に吸入された汚染空気を通すことによって粉塵を該吸着手段にて吸着除去し、粉塵が除去された空気を坑口側へ排気する構成とすることができる。例えば、吸引手段を構成する管路の長手方向に複数の吸引口を開設しておき、該管路の端部は閉塞させておく。この管路態様では、バキューム機によって管路内を吸引した際に、各吸引口から汚染空気が吸引されることとなる。各吸引口に吸引エアが流れ込む吸引口の上流側には、吸着手段の一実施の形態であるフィルター材を配設しておく。かかる構成とすることにより、汚染空気の吸込口から吸引された汚染空気は各フィルター材にて粉塵を吸着され、粉塵が除去された汚染空気は各吸引口を介して管路を通り、坑口側へ排気されることとなる。
【００１１】
このフィルター材の形態としては、吸引口に直接固定される形態や、前記管路から例えば下方に分岐する分岐管を囲繞する筒状のフィルター材などの適宜の形態を選定できる。なお、集塵室内が複数の隔壁にて画成され、各区画ごとに前記吸引口が配設された形態とすることにより、集塵効果をより一層高めることができる。
【００１２】
吸着手段を継続的に使用するに際し、単に吸着手段を取り替えるのではなく、吸着手段に付着した粉塵を定期的に取り除くことがコスト的には好ましい。そこで、例えば、吸着粉塵を定期的にその下方に吹き飛ばす等することにより、吸着手段を継続使用できるようにする。ここで、下方へ落下して集積した粉塵は、本発明の装置を構成する粉塵移動手段によって回収手段側へ移動される。この移動手段としては、例えば、複数の吐出孔を具備する管路（第２の管路）から構成することができ、この管路を各吸着手段の下方に配設しておくとともに、各吐出孔からのエア吐出方向を回収手段側に配向させておくことにより、吐出エアによって集積粉塵を回収手段側へ効果的に移動させることができる。
【００１３】
移動手段を構成する管路（または管路群）の形態としては、各管路が上記する第１の管路に直交する方向に直線状に延設する管路（管路群）や、これらの管路が端部同士で繋がっていて平面視で蛇行形状となっている管路、さらには、第１の管路の下方において複数の管路が交差してなる管路群など、適宜の管路形態を選定できる。
【００１４】
例えば、第１の管路に直交する方向に直線状に延設する第２の管路からなる移動手段が集塵室の長手方向、すなわち、トンネルの長手方向に所定間隔を置いて配設され、回収手段が集塵装置の坑口側に設けられている場合には、切羽側の管路から坑口側の管路に向かって対応する粉塵を順次移動させることにより、集塵室の下方に落下／集積した粉塵を自動的かつ効率的に坑口側の回収手段へ移動させることが可能となる。かかる形態における各移動手段の粉塵移動作用は、切羽側の移動手段から順次、間欠的におこなわれることが好ましいことから、各移動手段のエア吐出作用は、適宜の制御手段によって制御可能に構成されているのがよい。
【００１５】
また、上記する吸引手段は、バキューム機構とブロワ機構の双方の機能を具備していて、バキューム機構とブロワ機構が選択的に切り替え可能な装置を適用することもできる。この装置によれば、粉塵を集塵室内に吸引する際にはバキューム機構が選択され、吸着手段から粉塵を吹き飛ばす際にはブロワ機構が選択され、この場合には、エアを管路の吸引口から吸引手段に向かって吐出することにより、該吸引手段に付着した粉塵を下方へ吹き飛ばすことが可能となる。
【００１６】
例えば除塵装置の坑口側には、移動手段によって移動された粉塵を回収する回収手段が設けられている。この回収手段は、例えば、粉塵を落とし込むためのホッパーと、該ホッパーに連通して粉塵を所定の場所へ搬送するホースなどから構成することができ、ホースの先端には回収袋などを設置しておき、定期的に回収袋内の粉塵を回収するようにしておくことができる。なお、回収手段は、除塵装置の坑口側に設けられる形態以外にも、例えば除塵装置の中央部に設けられるものであって、粉塵が落下集積する装置の底面が中央に向ってすり鉢状のダストシュートを形成していて、その先端に回収袋などが設けられた形態などであってもよい。
【００１７】
上記する本発明の除塵装置によれば、延長の長いトンネルにおいても、発生する汚染空気を効果的に排気できることは勿論のこと、汚染空気中の粉塵を効果的に取り除き、かつ、フィルター材等にて吸着され、下方に落下／集積した粉塵を自動的（無人）に回収することが可能となる。したがって、従来のトンネル工事における粉塵回収効率を格段に向上することができ、トンネル内の良好な環境維持をより効果的に図ることができる。
【００１８】
さらに、本発明による除塵方法は、吸引手段と、吸引された粉塵を吸着させる複数の吸着手段と、それぞれの吸着手段に対応する位置に設けられ、吸着手段から落下して集積した粉塵を移動させる複数の移動手段と、前記移動手段によって移動された粉塵を回収する回収手段と、を少なくとも具備する除塵装置を使用して、トンネル工事にて発生する粉塵を除塵する除塵方法であって、粉塵を前記吸引手段にて吸引し、複数の前記吸着手段にて粉塵を吸着させる吸引ステップと、各吸着手段に付着した粉塵を吸着手段下方に落下させて集積させる集積ステップと、前記回収手段から最も離れた位置にある移動手段から該回収手段に最も近接した移動手段に向かって間欠的にエア吐出をおこなうことにより、粉塵を回収手段側へ移動させ、回収手段にて回収する移動回収ステップと、を具備することを特徴とするものである。
【００１９】
本発明の除塵方法によれば、既述する除塵装置と同様に、効果的な粉塵回収を実現することが可能となり、トンネル内の作業環境を常時良好に維持することができる。
【発明の効果】
【００２０】
以上の説明から理解できるように、本発明の除塵装置および除塵方法によれば、トンネル内で発生する汚染空気から粉塵を効果的かつ効率的に回収することができ、トンネル内の良好な環境の維持とトンネルの施工効率の向上を図ることができる。
【発明を実施するための最良の形態】
【００２１】
以下、図面を参照して本発明の実施の形態を説明する。図１は、本発明の除塵装置の一実施の形態の側面図を、図２は、図１のＩＩ−ＩＩ矢視図をそれぞれ示している。図３は、粉塵を吸着している状況を説明した模式図を、図４は、吸着粉塵を吹き飛ばすとともに、落下／集積した粉塵を移動させている状況を同一図にて説明した模式図を、図６は、粉塵を間欠的に移動させている平面状況を説明した模式図をそれぞれ示している。図７は、粉塵移動用の管路を説明した図であり、図７ａはその側面図を、図７ｂはその断面図を示している。図８は、粉塵移動用の管路を取り付け部とともに示した斜視図である。図９は、移動手段の他の実施の形態の平面図を、図１０ａは、移動手段のさらに他の実施の形態の平面図を、図１０ｂは、図１０ａのｂ−ｂ矢視図を示している。
【００２２】
図１は、除塵装置１００の側面図を、図２は、その正面図（ＩＩ−ＩＩ矢視図）を示している。除塵装置１００は、鋼製の型鋼（Ｈ型鋼、Ｌ型鋼など）や鋼管などから縦材、水平材、斜材を形成し、それらを組付けてなる架構２１と、その下部に設けられた車輪２２，…からなる架構台車２と、該架構台車に搭載された集塵室１、集塵室１を介して汚染空気を吸引するとともに、集塵室内にエアを供給するバキューム／ブロワ機７１、集塵室１内に集積した粉塵を移動させるためのブロワ機７２、かかるバキューム／ブロワ機７１およびブロワ機７２の作動を制御する制御盤７３などから大略構成されている。なお、図示する除塵装置１００においては、最終的に粉塵を回収するホッパー部６１等から構成された回収手段が装置の坑口側に設けられている。
【００２３】
除塵装置１００は、トンネルＴの造成に応じて適宜移動するものであるが、この移動に先んじてトンネルＴ内に案内レールが配設され、その上を除塵装置１００が移動できる構成であってもよい。また、この除塵装置１００の移動は、坑口外における管理室内の作業員が遠隔操作によって移動させる形態であってもよい。
【００２４】
図３は、除塵装置１００による汚染空気および該空気内から粉塵を除去している状況を説明した図であり、図４は、フィルター材にて吸着除去された粉塵を吹き飛ばし、除塵装置の床部に落下／集積させている状況を説明した図である。図３，４に示すように、集塵室１は吸引エアを通過させる不図示の開口等を備えた隔壁１４，…にて内部が複数の小区画に画成されており、各区画ごとに後述する吸引／吐出部３３が設けられた構成となっている。
【００２５】
トンネル内の掘削に応じて汚染空気が所定量ないしは所定濃度となった段階で、制御盤７３が自動的ないしは手動にて作動し、該制御盤７３からの作動指令がバキューム／ブロワ機７１に送信される。このバキューム／ブロワ機７１は、バキューム機構とブロワ機構を選択的に切り替え可能な装置であり、汚染空気の吸引の際にはバキューム機構が作動し、集塵室１の切羽側の端壁１１に開設された吸込み口１１ａを介し、集塵室１内の長手方向（トンネルの長手方向）に延設された管路３を介して汚染空気が吸引される（図３のＸ２、Ｘ３，Ｘ１方向）。
【００２６】
管路３は、集塵室内の延長部３１と、該延長部３１とバキューム／ブロワ機７１とを繋ぐ連絡部３２が連通して形成されており、さらに、延長部３１には所定間隔を置いて複数の吸引／吐出部３３,…が設けられている。各吸引／吐出部３３，…の下方には汚染空気内の粉塵Ｄを吸着除去するためのフィルター材４１，４２，４３，４４，４５，４６がそれぞれ配設されている。
【００２７】
吸込み口１１ａから集塵室内に吸引された汚染空気は、各フィルター材４１，…を介して粉塵Ｄを除去された後、その上方の吸引／吐出部３３，…を介して延長部３１に吸引される。粉塵Ｄを除去された汚染空気は、除塵装置１００から坑口側へ排気される。
【００２８】
フィルター材４１，…にある程度の粉塵Ｄが吸着されると、該フィルター材の吸着性能が低下する。そこで、定期的にフィルター材から吸着粉塵を除去するメンテナンスが必要となる。図４は、フィルター材４１，…から粉塵Ｄを除去し、下方に落下／集積した粉塵Ｄを坑口側へ移動させている状況を説明している。
【００２９】
フィルター材４１，…から粉塵Ｄを除去するに際し、バキューム／ブロワ機７１のブロワ機構が選択され、コンプレッサ７４等によって加圧されたエアが連絡部３２を介し、延長部３１を介し、さらには吸引／吐出部３３,…を介して各フィルター材４１，…の上方へ吐出される。エアの風圧により、フィルター材４１，…の各下面に吸着された粉塵Ｄは下方へ吹き飛ばされ、床部１３に落下／集積される。
【００３０】
図５ａ，ｂは、フィルター材の他の実施の形態を示したものであり、図３における中央の２区画室のみを示したものである。図５ａの実施の形態では、延長部３１から分岐管３４が下方へ延設し、さらにその先端が屈曲して水平部３４ａを有し、その先端に吸引／吐出部３３が開設されており、この吸引／吐出部３３に直立姿勢のフィルター材４３ａ（４４ａ）が固定されている。
【００３１】
一方、図５ｂの実施の形態では、下方へ延設する比較的長い分岐管３５を筒状のフィルター材４３ｂ（４４ｂ）が囲繞するものである。筒状のフィルター材とすることにより、フィルター材が平面状の場合に比して粉塵の吸着量を増加させることができ、結果としてフィルター材のメンテナンス間隔を長くすることが可能となる。
【００３２】
床部１３の各フィルター材４１，…の下方位置には、落下／集積された粉塵Ｄが堆積している。各フィルター材４１，…の下方位置には、管路３の延長部３１と直交する方向に延設する別途の管路５１，５２，５３，５４，５５，５６が配設されている（図６参照）。
【００３３】
図７は、粉塵移動用の管路５１，…の詳細を説明した側面図および断面図である。図７ａに示すように、管路５１（管路５２、…も同様の構成である）にはその延長方向に間隔を置いて、多数の吐出孔５１ａ，５１ａ，…が開設されている。この開設位置は、図７ｂに示すように、下方で例えば中心を通る水平軸から３０度程度傾斜した位置であって、かつ、坑口側へ粉塵を押し出し可能な位置である。
【００３４】
図６に戻り、各管路５１，５２，５３，５４，５５，５６のエア吐出は、制御盤７３にて作動制御されたブロワ機７２が稼動することによって実行される。なお、各管路５１，…は連絡管路８１にて連通されるとともに、制御バルブ８２，…にて連結されている。具体的には、切羽により近接した管路５１から順にエア吐出用の信号（例えばパルス信号）が送信され、該管路５１に対応する制御バルブ８２が開き、他の管路５２，…に対応する制御バルブ８２，…は閉じた状態となる。管路５１のみからエアが吐出され、その下方位置に堆積した粉塵が隣接する管路５２側へ移動される。次いで、管路５２に対応するバルブが開き、他の管路５１，５３、…に対応する制御バルブは閉じた状態となり、管路５２からのエア吐出が実行され、隣接する管路５３側へ移動される。このエア吐出が順次、間欠的に実行されることにより（Ｚ１、Ｚ２，Ｚ３，Ｚ４，Ｚ５，Ｚ６方向の順に間欠的におこなわれる）、切羽側から坑口側へ向かってすべての堆積粉塵が移動され、集塵室１の坑口側の端壁１２に併設したホッパー部６１に粉塵が回収される（Ｚ７方向）。
【００３５】
なお、各管路５１，…のエア吐出の制御タイミングは、上記するタイミングに限定されるものではなく、すべての管路５１，…が同時にエア吐出をおこなった後に、最終的に残存する粉塵の移動を、切羽側の管路５１から順次間欠的におこなっていく態様であってもよい。
【００３６】
ホッパー部６１に回収された粉塵は、回収路６２を通って回収袋６３に回収される（図１参照）。回収袋６３が粉塵で満たされた段階で、回収袋６３は取り外され、内部が空にされた後に再度回収路６２に連通設置される。
【００３７】
図８は、管路５１（管路５２、…も同様である）が集塵室１の床部１３に取り付けられた状態を説明した図である。床部１３には、管路５１の位置決めをおこなうストッパー９５と該ストッパー９５に離間した位置にＬ型鋼９６が固設されている。管路５１は、その両端部近傍においてＵボルト９１，９２を介してＣ型鋼９３，９４と連結されており、Ｃ型鋼９３はストッパー９５に収容させて位置決めをおこない、その姿勢でＣ型鋼９４をＬ型鋼９６にボルト／ナット９７にてボルト留めする。
【００３８】
図９，１０は、図６に示す移動手段を構成する管路（群）の他の実施の形態を示したものである。図９に示す管路５７は、一本の連続した管路が平面視で蛇行形状に配設され、各列には、吐出孔５７ａ１，５７ａ２，…，５７ａｎ，…が開設されている。この管路５７では、ブロワ機７２からのエアがホッパー部６１から最も離れた位置にある管路直線部から順に吐出されることで、徐々に粉塵をホッパー部６１側へ移動できるようになっている。
【００３９】
一方、図１０に示す管路群は、外側の管路５８，５８が連通しており、その内側の管路５９，５９、および中央の管路５０，５０も同様に連通しており、各連通管路５８，５９，５０の順に、間欠的にエアが吐出されることによって粉塵を中央に移動させる形態である。
【００４０】
この形態では、図１０ａ，ｂに示すように、集塵室の床部１３ａが中央に向って傾斜したすり鉢状に形成されており、その中央開口に回収路６２ａが設けられた構造となっている。したがって、図１０ａのように外周から中央に向って徐々に集積粉塵を移動させることが好ましい。なお、図示を省略するが、ホッパー部６１および回収路６２等からなる回収手段の配設位置は図示する実施の形態に限定されるものではなく、集塵装置の構成によっては、該集塵装置の切羽側となる形態であってもよい。
【００４１】
また、本発明の除塵方法は、上記する除塵装置１００を使用することで実行でき、汚染空気を集塵室内に吸引し、粉塵Ｄをフィルター材４１，…にて吸着させる吸引ステップと、各フィルター材４１，…に付着した粉塵Ｄをその下方に落下／集積させる集積ステップと、切羽側の管路５１から坑口側の管路５６に向かって間欠的に、各管路に対応する集積粉塵を順次坑口側へ移動させ、ホッパー部６１、回収路６２、回収袋６３の順で粉塵を回収する回収ステップとからなるものである。
【００４２】
以上に説明した本発明の除塵装置１００および除塵方法によれば、汚染空気の排気と汚染空気内に含まれる粉塵の回収を効率的かつ確実に実行することが可能となり、今後のトンネル工事に適用されることで、施工効率の向上、施工環境の改善を効果的に実現できるものである。
【００４３】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００４４】
【図１】本発明の除塵装置の一実施の形態の側面図である。
【図２】図１のＩＩ−ＩＩ矢視図である。
【図３】粉塵を吸着している状況を説明した模式図である。
【図４】吸着粉塵を吹き飛ばすとともに、落下／集積した粉塵を移動させている状況を同一図にて説明した模式図である。
【図５】（ａ），（ｂ）は、吸着手段の他の実施の形態の模式図である。
【図６】粉塵を間欠的に移動させている平面状況を説明した模式図である。
【図７】粉塵移動用の管路を説明した図であり、（ａ）はその側面図であり、（ｂ）はその断面図である。
【図８】粉塵移動用の管路を取り付け部とともに示した斜視図である。
【図９】移動手段の他の実施の形態の平面図である。
【図１０】（ａ）は、移動手段のさらに他の実施の形態の平面図であり、（ｂ）は（ａ）のｂ−ｂ矢視図である。
【符号の説明】
【００４５】
１…集塵室、１１，１２…端壁、１３…床部、１４…隔壁、１１ａ…吸込み口、２…架構台車、２１…架構、２２…車輪、３…管路、３１…延長部，３２…連絡部，３３…吸引／吐出部、４１，４２，４３，４４，４５，４６…フィルター材、５０，５１，５２，５３，５４，５５，５６，５７，５８，５９…管路、５０ａ，５１ａ，５２ａ，５３ａ，５４ａ，５５ａ，５６ａ，５７ａ１，５７ａｎ，５８ａ，５９ａ…吐出口、６１…ホッパー部、６２，６２ａ…回収路、６３…回収袋、７１…バキューム／ブロワ機、７２…ブロワ機、７３…制御盤、１００…除塵装置、Ｔ…トンネル
【図１】
2008063739.tif 000003
【図２】
2008063739.tif 000004
【図３】
2008063739.tif 000005
【図４】
2008063739.tif 000006
【図５】
2008063739.tif 000007
【図６】
2008063739.tif 000008
【図７】
2008063739.tif 000009
【図８】
2008063739.tif 000010
【図９】
2008063739.tif 000011
【図１０】
2008063739.tif 000012